(57)【特許請求の範囲】
【請求項１】
取付ボックスに受具を移動可能に収容すると共に、取付ボックスと受具の間にカムを配設し、取付ボックスの少なくとも一方の側壁内面に凹凸部を設けると共に、略円形のカムの周囲に凹凸部を設けて、それぞれの凹凸部が噛み合うように成し、受具には軸孔を設けると共に、カムには偏心位置に突軸を設けて成り、突軸を軸孔に係合させて、カムを回動することによって、受具を移動させて錠片の係止位置を調整できるように構成した錠片受け装置において、カムは、直径が取付ボックスの幅方向の寸法とほぼ同一又は大きい略円板状で、カム全体の中心と突軸の中心とを結ぶ直線方向の直径を小さくして成り、カムを取付ボックスに配設する際に、その小さい直径方向を取付ボックスの幅方向に合わせることによって、組立しやすくするように構成したことを特徴とする錠片受け装置。
【発明の詳細な説明】
【技術分野】
【０００１】
本発明は、ドア枠に取り付けられて、ラッチボルトやデッドボルト等の錠片を係止する錠片受け装置であって、その係止位置を調整することができる錠片受け装置に関するものである。
【背景技術】
【０００２】
従来より、錠片の係止位置を調整することができる錠片受け装置は、種々のものが提案されている。例えば実用新案登録第２５７５２５６号考案は、調節受けケース（取付ボックスに相当）と摺動ボックス（受具に相当）の間に円盤（カムに相当）を配設して、円盤の偏心位置にある突起（突軸に相当）が摺動ボックスの孔（軸孔に相当）に嵌合し、円盤の外周と調節受けケースとの内側壁面にそれぞれ歯形と凹凸条を設けて成るもので、円盤の歯形と調節受けケースの凹凸条が噛み合っているので、施錠時において、突起の中心が、円盤全体の中心を通り調節受けケースの両側壁に対して直角な直線上から外れた位置にあるとき、ドアーが開放方向に強く加圧されて錠片が摺動ボックスを押しても、円盤が空転しにくく、摺動ボックスが移動して錠片の係止位置が変わってしまうことがないという効果があるものである。
【先行技術文献】
【特許文献】
【０００３】
【特許文献１】実用新案登録第２５７５２５６号公報
【発明の概要】
【発明が解決しようとする課題】
【０００４】
上記従来例においては、円盤を空転しにくくするためには、円盤の外周が調節受けケースの側板間にほぼ隙間がない状態で、円盤の歯形と調節受けケースの凹凸条が十分に噛み合う必要があるが、円盤の直径を調節受けケースの側板間の寸法とほぼ同じにすると、円盤を調節受けケースに装入して底板表面にぴったりと添う状態に配設しにくくなり、組立が困難になるという問題がある。
【課題を解決するための手段】
【０００５】
本発明は、上記の課題を解決するために、取付ボックスに受具を移動可能に収容すると共に、取付ボックスと受具の間にカムを配設し、取付ボックスの少なくとも一方の側壁内面に凹凸部を設けると共に、略円形のカムの周囲に凹凸部を設けて、それぞれの凹凸部が噛み合うように成し、受具には軸孔を設けると共に、カムには偏心位置に突軸を設けて成り、突軸を軸孔に係合させて、カムを回動することによって、受具を移動させて錠片の係止位置を調整できるように構成した錠片受け装置において、カムは、直径が取付ボックスの幅方向の寸法とほぼ同一又は大きい略円板状で、カム全体の中心と突軸の中心とを結ぶ直線方向の直径を小さくして成り、カムを取付ボックスに配設する際に、その小さい直径方向を取付ボックスの幅方向に合わせることによって、組立しやすくするようにして成るものである。
【発明の効果】
【０００６】
本発明によれば、カムを取付ボックスに配設する際に、小さい直径方向を取付ボックスの幅方向に合わせることによって、配設しやすく組立が容易になり、その状態では、突軸の中心が、カム全体の中心を通り取付ボックスの両側壁に対して直角な直線上に存在することになるので、使用時に錠片が受具の内面に当接して力がかかっても、カムを回転する力はかからず、カムが空転しにくく、さらに、その位置からカムを回動させて調整し、突軸の中心が、カム全体の中心を通り取付ボックスの両側壁に対して直角な直線上から外れた場合でも、カムの大きい直径方向の凹凸部が取付ボックスの凹凸部と十分に噛み合うことになるので、カムが空転しにくくなるものであって、組立が容易で、なおかつ、使用時には、錠片の係止位置を調整して突軸の中心がどの位置にあっても、錠片が受具を押した場合に、受具が容易に移動して錠片の係止位置が変わってしまうことがないという効果がある。
【図面の簡単な説明】
【０００７】
【図１】全体正面図である。
【図２】図１のＡ−Ａ線拡大断面図である。
【図３】図１のＢ−Ｂ線拡大断面図である。
【図４】全体の分解斜視図である。
【図５】カムの拡大正面図である。
【実施例】
【０００８】
取付ボックス１は、表面側に開口する箱状部５の上下に、鍔状に突出する取付片６・６を設け、そこに取付孔１２・１２を設けてある。箱状部５は、縦長方形状の底板９の四辺から直角に壁板を立ち上げて設けて成り、底板９の両側の側壁７・８は平行に設けられ、一方の側壁７には、下部内面に上下に伸びる凹凸部１０を設け、他方の側壁８下部から底板９の一部にかけて上下に伸びる切欠部１１を設けてある。切欠部１１を設けるのは、側壁８が弾性変形しやすくするためである。なお本実施例では、両側の側壁７・８の内面間の寸法は２２ミリメートルである。
【０００９】
一方の側壁７は、使用時に荷重がかかるので強度上底板９からの高さを高くしてあるが、他方の側壁８は、使用時に荷重がかからないのでコスト低減のため低くしてある。
【００１０】
受具２は、表面側に開口する箱状部の底板１４中央に円形の軸孔１６を設け、箱状部の一方側に側方に突出する耳縁部１３を設け、その上面には、開口部側の中央に上方に突出する摺動突起１５を設けてある。受具２の箱状部は、取付ボックス１の箱状部５の中に上下壁が接する状態で収容されるが、取付ボックス１より幅は小さく形成され、受具２は取付ボックス１内で左右に移動できるようになっている。
【００１１】
カム３は、略円板状で周囲に三角形状の凹凸部１８を設け、偏心位置に上方に突出する円形の突軸１７を設けてあり、カム３全体の中心と突軸１７の中心を通る直径方向の寸法Ｄを、他の直径方向の寸法Ｃよりも小さくしてある。また、突軸１７には、プラスドライバーが係合する十字孔の操作部１９を設けてある。なお本実施例では、寸法Ｃは２２．２ミリメートル、寸法Ｄは２１．８ミリメートルである。
【００１２】
表面板４は、略中央に縦長方形状の開口部２０を設け、その一側には、摺動突起１５が摺動可能に係合する案内部２１を、開口部２０と連続するよう切り欠き形成し、上下部には取付孔２２・２２を設けてある。
【００１３】
本発明を組み立てるには、図４に示すように、カム３の寸法Ｄの直径方向が側壁７と側壁８の間に位置するように、すなわち、突軸１７の中心が、カム３全体の中心を通り取付ボックス１の両側壁７・８に対して直角な直線上に存在するようにして、カム３を取付ボックス１の箱状部５の底板９中央に配設し、突軸１７が軸孔１６に係合するように、受具２を取付ボックス１の箱状部５に収容し、案内部２１を摺動突起１５に係合させると共に、取付孔２２・２２を取付孔１２・１２に合わせて表面板４を被せ、取付孔２２・２２を取付孔１２・１２にかしめ止めして全体を一体化する。
【００１４】
取付ボックス１の側壁７・８の内面間の寸法（本実施例では２２ミリメート）は、カム３の直径寸法Ｄ（本実施例では２１．８ミリメート）よりも少し大きく、それ以外の直径寸法Ｃ（本実施例では２２．２ミリメート）よりも少し小さくなっており、上述のように寸法Ｄの直径方向が側壁７と側壁８の間に位置するようにすると、カム３を取付ボックス１に容易に配設することができ、寸法Ｄの直径方向以外の直径方向が側壁７と側壁８の間に位置するようにすると、側壁８が弾性変形し、カム３を側壁７に押し付ける力が働くようになっている。
【００１５】
調整するには、プラスドライバーをカム３の突軸１７の操作部１９に係合させ回転させると、突軸１７が左右方向に移動し、それに伴い突軸１７に係合する軸孔１６を設けてある受具２が左右に移動して、錠片の係止位置を変更して調整することができる。
【００１６】
カム３が取付ボックス１に、寸法Ｄの直径方向以外の直径方向が側壁７と側壁８の間に位置するように配設されている場合、錠片が受具２の側壁に当接して力がかかると、突軸１７にカム３を回転させる力がかかるが、弾性変形している側壁８がカム３を側壁７に押し付けて、カム３の凹凸部１８が取付ボックス１の凹凸部１０と噛み合っているので、カム３は容易に回転することはない。
【００１７】
また、カム３が取付ボックス１に、寸法Ｄの直径方向が側壁７と側壁８の間に位置するように配設されている場合には、直径寸法Ｄは側壁７と側壁８との間の寸法よりも小さいので、側壁８がカム３を側壁７に押し付ける力は働かず凹凸部１８と凹凸部１０との噛み合い力は小さいが、突軸１７の中心が、カム３全体の中心を通り取付ボックス１の両側壁７・８に対して直角な直線上に存在しており、錠片が受具２の側壁に当接して力がかかっても、カム３を回転する力はかからない。
【符号の説明】
【００１８】
１  取付ボックス
２  受具
３  カム
１６  軸孔
１７  突軸
【図１】
0005425018.tif 000002
【図２】
0005425018.tif 000003
【図３】
0005425018.tif 000004
【図４】
0005425018.tif 000005
【図５】
0005425018.tif 000006